(57)【要約】【課題】簡易な手法によりメモリに記憶された手振れ画像の無効設定を行い、手振れが生じた不要な画像によるメモリの容量不足を改善して、記憶容量の有効な利用を図ることができる電子スチルカメラ及びその画像処理方法を提供する。【解決手段】被写体を撮影し、被写体像の信号情報を発生する撮像部と、被写体の撮像時に印加される振動を検出し、振動情報として出力する振動検出部と、被写体像の信号情報に所定の信号処理を施して画像情報を生成するとともに、振動情報に基づいて振動の状態を報知するとともに、画像情報を記憶部の所定の記憶領域に記憶するＭＰＵとを備え、ＭＰＵは、記憶部への画像情報の記憶直後に、振動情報に基づいて、画像情報を無効状態に設定し、該記憶領域への他の画像情報の記憶を可能とした。【選択図】      図１
2006295972.tif 000002
【特許請求の範囲】
【請求項１】
被写体を撮影し、該被写体像の画像情報を発生する撮像手段と、
前記被写体の撮像時に生じる手振れを検出し、手振れ情報として出力する手振れ検出手段と、
前記手振れ情報に基づいて、該手振れの状態を報知するとともに前記画像情報を無効状態に設定する制御手段と、
を備えたことを特徴とする電子スチルカメラ。
【請求項２】
前記制御手段は、前記手振れが所定のしきい値を超過した場合に、該手振れの状態を報知するとともに前記画像情報を記憶手段の所定の領域に記憶直後に、前記手振れ情報に基づいて、前記画像情報を無効状態に設定し、前記所定の領域への他の画像情報の記憶を可能としたことを特徴とする請求項１記載の電子スチルカメラ。
【請求項３】
被写体を撮影し、該被写体像の画像情報を発生する撮像手段と、
前記被写体の撮像時に生じる手振れを検出し、手振れ情報として出力する手振れ検出手段と、
前記手振れ情報に基づいて、該手振れの状態を報知するとともに前記画像情報を表示手段に表示させる制御手段と、
前記表示手段に表示された前記画像情報を無効状態に設定するか否かを選択する選択手段と、
を備えたことを特徴とする電子スチルカメラ。
【請求項４】
被写体を撮影し、該被写体像の画像情報を発生する撮像手段と、
前記被写体の撮像時に生じる手振れを検出し、手振れ情報として出力する手振れ検出手段と、
前記手振れ情報に基づいて、前記画像情報に特定情報を関連付けて記憶手段の所定の領域に記憶する制御手段と、
を備えることを特徴とする電子スチルカメラ。
【請求項５】
前記制御手段は、前記記憶手段に記憶された前記画像情報の表示時に、前記特定情報に基づいて該手振れの状態を報知することを特徴とする請求項４記載の電子スチルカメラ。
【請求項６】
前記制御手段は、前記記憶手段に記憶された前記画像情報の表示時に、前記特定情報に基づいて前記手振れが生じた前記画像情報を検索し、該検索結果に基づいて前記画像情報を表示することを特徴とする請求項４又は５記載の電子スチルカメラ。
【請求項７】
前記制御手段は、前記特定情報に基づいて前記手振れの状態が所定のしきい値を超過した前記画像情報を検索、抽出し、一括して無効状態への設定が可能であることを特徴とする請求項４、５又は６記載の電子スチルカメラ。
【請求項８】
前記制御手段は、前記記憶手段の記憶残量を監視し、該記憶残量が所定状態に達した場合に、前記特定情報に基づいて前記画像情報を無効状態に設定することを特徴とする請求項４、５、６又は７記載の電子スチルカメラ。
【請求項９】
撮影された被写体像の画像情報を生成する処理と、
前記被写体の撮影時に生じる手振れを検出し、手振れ情報として出力する処理と、
前記手振れ情報に基づいて、該手振れの状態を報知するとともに前記画像情報を無効状態に設定する処理と、
を含むことを特徴とする電子スチルカメラの画像処理方法。
【請求項１０】
撮影された被写体像の画像情報を生成する処理と、
前記被写体の撮像時に生じる手振れを検出し、手振れ情報として出力する処理と、
前記手振れ情報に基づいて、該手振れの状態を報知するとともに前記画像情報を表示する処理と、
前記表示された前記画像情報を無効状態に設定するか否かを選択する処理と、
を含むことを特徴とする電子スチルカメラの画像表示方法。
【請求項１１】
撮影された被写体像の画像情報を生成する処理と、
前記被写体の撮影時に生じる手振れを検出し、手振れ情報として出力する処理と、
前記手振れ情報に基づいて、前記画像情報に特定情報を関連付けて所定の記憶領域に記憶する処理と、
を含むことを特徴とする電子スチルカメラの画像処理方法。
【発明の詳細な説明】
【技術分野】
【０００１】
本発明は、電子スチルカメラ及びその画像処理方法に関し、特に、撮影時の手振れが原因で生じる不良な画像の処理方法を改善した電子スチルカメラ及びその画像処理方法に関する。
【背景技術】
【０００２】
近年、被写体像をディジタル信号として撮影して液晶パネルに表示することができ、また、その画像情報を着脱可能なメモリカードに記憶してパソコン等により画像を処理することができる携帯情報機器として、電子スチルカメラが急速に普及している。このような電子スチルカメラにおいては、画像情報を記億するメモリの記憶容量によっては、一般的な銀塩写真における２４枚撮りや３６枚撮りをはるかに超える膨大な数の画像を撮影することができる。
しかしながら、技術開発に伴い、メガピクセルと呼ばれる１００万画素を越える撮影解像度を有する製品が開発され、旧来のメモリの記憶容量では、記憶できる画像情報の数が激減するという問題が生じてきた。また、撮影解像度の向上に伴い、メモリの記憶容量を増加することが試みられているが、記憶媒体として利用されるメモリカードは、依然高価であり、現在標準的に利用されているメモリの記憶容量は数メガバイト程度にすぎず、高精細な画像の場合、数枚程度を記憶できるに留まっている。そのため、限られた記憶容量を有効に使う技術が求められている。
【０００３】
一方、電子スチルカメラは、銀塩写真用のカメラに比較して、簡易に被写体像を撮影し、その場で再生、消去を行うことができるという特徴を有しているが、図１２（ａ）に示すように、カメラ使用者がカメラ本体１００を保持し、シャッターキー１０１を操作する動作に何ら変わりはない。そのため、図１２（ｂ）、（ｃ）に示すように、液晶パネル１０２に表示された被写体像１０３が、撮影時のシャッター操作により、振れ１０４を生じるという手振れの問題は解決されていない。
電子スチルカメラにおいては、手振れが原因で生じる不良な画像（手振れ画像）に対して、撮影後、液晶パネルにより画像を再生して確認し、消去する方法が一般的であるが、このような方法の場合、カメラ使用者は、撮影後、カメラ本体のスイッチ類を操作して再生モードに切り替え、表示された画像を確認して初めて手振れに気がつくことになるため、シャッターチャンスで満足な画像を得ることができないという問題があった。また、このような手振れの影響は、光学系のズーム倍率が向上するほど顕著になるという特徴を有しているため、その対策が重要になってきている。
【０００４】
手振れによる不良画像の処理方法については、例えば、特開平１０−２１５４０５号公報にあるように、手振れ画像自体を演算補正する方法が知られているが、補正のための操作が煩雑なうえ、プロセッサ等への負荷が大きくなるという問題を有している。
そのため、近年においては、撮影時又は撮影後に手振れ状態を音声や表示等により警告する手法が適用され、カメラ使用者は、その警告にしたがって、再度撮影を行うことにより、所望の画像を取得することができる。
【発明の開示】
【発明が解決しようとする課題】
【０００５】
しかしながら、上述した従来技術においては、手振れ警告をカメラ使用者に認識させることはできるが、手振れを生じた画像はそのままメモリに記憶されるため、カメラ使用者は、その都度再生モードに切り替えて手振れ画像を液晶パネルに表示し、手振れの状態を確認して不要と判断した場合には、消去操作を実行しなければならないうえ、連続して撮影した複数の画像の中から手振れ画像を選択して消去操作を行うことは極めて煩雑であるという問題を有している。
また、手振れ画像はメモリにそのまま記憶されることになるため、その回数が多くなるほど、メモリ中に不要な画像が蓄積されて、メモリの記憶容量が有効に利用されていないという問題も有している。
そこで、本発明は、簡易な手法によりメモリに記憶された手振れ画像の無効設定を行い、手振れが生じた不要な画像によるメモリの容量不足を改善して、記憶容量の有効な利用を図ることができる電子スチルカメラ及びその画像処理方法を提供することを目的とする。
【課題を解決するための手段】
【０００６】
請求項１記載の電子スチルカメラは、被写体を撮影し、該被写体像の画像情報を発生する撮像手段と、前記被写体の撮像時に生じる手振れを検出し、手振れ情報として出力する手振れ検出手段と、前記手振れ情報に基づいて、該手振れの状態を報知するとともに前記画像情報を無効状態に設定する制御手段と、を備えたことを特徴とする。
請求項２記載の電子スチルカメラは、請求項１記載の電子スチルカメラにおいて、前記制御手段は、前記手振れが所定のしきい値を超過した場合に、該手振れの状態を報知するとともに前記画像情報を記憶手段の所定の領域に記憶直後に、前記手振れ情報に基づいて、前記画像情報を無効状態に設定し、前記所定の領域への他の画像情報の記憶を可能としたことを特徴とする。
請求項３記載の電子スチルカメラは、被写体を撮影し、該被写体像の画像情報を発生する撮像手段と、前記被写体の撮像時に生じる手振れを検出し、手振れ情報として出力する手振れ検出手段と、前記手振れ情報に基づいて、該手振れの状態を報知するとともに前記画像情報を表示手段に表示させる制御手段と、前記表示手段に表示された前記画像情報を無効状態に設定するか否かを選択する選択手段と、を備えたことを特徴とする。
【０００７】
請求項４記載の電子スチルカメラは、被写体を撮影し、該被写体像の画像情報を発生する撮像手段と、前記被写体の撮像時に生じる手振れを検出し、手振れ情報として出力する手振れ検出手段と、前記手振れ情報に基づいて、前記画像情報に特定情報を関連付けて記憶手段の所定の領域に記憶する制御手段と、を備えることを特徴とする。
請求項５記載の電子スチルカメラは、請求項４記載の電子スチルカメラにおいて、前記制御手段は、前記記憶手段に記憶された前記画像情報の表示時に、前記特定情報に基づいて該手振れの状態を報知することを特徴とする。
請求項６記載の電子スチルカメラは、請求項４又は５記載の電子スチルカメラにおいて、前記制御手段は、前記記憶手段に記憶された前記画像情報の表示時に、前記特定情報に基づいて前記手振れが生じた前記画像情報を検索し、該検索結果に基づいて前記画像情報を表示することを特徴とする。
請求項７記載の電子スチルカメラは、請求項４、５又は６記載の電子スチルカメラにおいて、前記制御手段は、前記特定情報に基づいて前記手振れの状態が所定のしきい値を超過した前記画像情報を検索、抽出し、一括して無効状態への設定が可能であることを特徴とする。
請求項８記載の電子スチルカメラは、請求項４、５、６又は７記載の電子スチルカメラにおいて、前記制御手段は、前記記憶手段の記憶残量を監視し、該記憶残量が所定状態に達した場合に、前記特定情報に基づいて前記画像情報を無効状態に設定することを特徴とする。
【０００８】
そして、請求項９記載の電子スチルカメラの画像処理方法は、撮影された被写体像の画像情報を生成する処理と、前記被写体の撮影時に生じる手振れを検出し、手振れ情報として出力する処理と、前記手振れ情報に基づいて、該手振れの状態を報知するとともに前記画像情報を無効状態に設定する処理と、を含むことを特徴とする。
請求項１０記載の電子スチルカメラの画像処理方法は、撮影された被写体像の画像情報を生成する処理と、前記被写体の撮像時に生じる手振れを検出し、手振れ情報として出力する処理と、前記手振れ情報に基づいて、該手振れの状態を報知するとともに前記画像情報を表示する処理と、前記表示された前記画像情報を無効状態に設定するか否かを選択する処理と、を含むことを特徴とする。
請求項１１記載の電子スチルカメラの画像処理方法は、撮影された被写体像の画像情報を生成する処理と、前記被写体の撮影時に生じる手振れを検出し、手振れ情報として出力する処理と、前記手振れ情報に基づいて、前記画像情報に特定情報を関連付けて所定の記憶領域に記憶する処理と、を含むことを特徴とする。
【発明の効果】
【０００９】
請求項１、２又は９記載の発明によれば、撮像手段を介して被写体像を撮影する際の手振れ状態を、振動検出手段により振動情報として検出し、制御手段が振動情報に基づいて、一旦記憶手段の所定の領域に記憶された手振れ画像を、消去又は上書き可能とする無効状態に設定することができる。
特に、被写体像の撮影直後に、一旦記憶された手振れ画像を強制的あるいは選択的に無効状態に設定することにより、手振れ報知にしたがって再撮影により取得された良好な画像を同一の記憶領域に記憶することができるため、限られた記憶容量を有効に利用することができるとともに、手振れ画像の消去等の煩雑な操作を必要としない、操作性に優れた電子スチルカメラを実現することができる。
また、請求項３又は１０記載の発明によれば、被写体像を撮影する際に手振れが発生した画像を、被写体像の撮影直後に表示手段に表示することにより、従来のように、操作部を操作して再生モードを設定し、画像を選択する等の煩雑な操作を行なう必要がなく、また、カメラ使用者に当該手振れ画像の取捨選択を確実に報知して判断及び操作を促すことができる。
【００１０】
請求項４、５、６、７、８又は１１記載の発明によれば、撮像手段を介して被写体像を撮影する際の手振れ状態を、振動検出手段により振動情報として検出し、制御手段が振動情報に基づいて手振れ状態を示す特定情報を関連付けして記憶手段の所定の領域に記憶することにより、特定情報を検索条件として手振れ画像を容易に抽出することができる。
特に、連続的に撮影を行なった後に、スクロール表示やマルチ画面表示等の種々の表示方法により再生画像を確認する際に、特定情報に基づいて検索、抽出された手振れ画像を報知して、手振れ画像の消去又は保存の判断及び操作を促すことができるため、手振れ画像の処理操作を簡易かつ確実にすることできるとともに、撮影時における制御処理の負担を軽減することができ、より操作性に優れた電子スチルカメラを実現することができる。
また、特定情報に基づいて検索、抽出された手振れ画像のみをスクロール表示やマルチ画面表示等により、順次あるいは一括して表示することができるため、表示された手振れ画像の消去又は保存の判断及び操作をまとめて行うことができ、操作性をさらに向上させることができる。
さらに、被写体の撮影に際し、記憶手段の記憶残量を監視し、記憶残量が少なくなった場合には、特定情報に基づいて手振れ画像を検索して無効状態に設定することにより、手振れ画像を自動的に抽出消去することができ、新たに撮影される有用な画像を順次保存することができるため、シャッターチャンスが連続するような場合においても、記憶残量を気にすることなく撮影を継続できるとともに、手振れ画像の処理操作を行う必要がなく、極めて操作性に優れた電子スチルカメラを実現することができる。
【発明を実施するための最良の形態】
【００１１】
以下、本発明の実施の形態を、図面を参照しながら説明する。
図１は、請求項１乃至８記載の発明のいずれかに係る電子スチルカメラの基本構成を示すブロック図である。
図１に示すように、本発明に係る電子スチルカメラは、撮像部（撮像手段）１０と、振動検出部（手振れ検出手段）２０と、マイクロプロセッサユニット（以下、ＭＰＵと記す；制御手段）３０と、記憶部（記憶手段）４０と、表示部（表示手段）５０と、操作部（選択手段）６０とを有して構成されている。
各構成について以下順次説明する。
【００１２】
撮像部１０は、所望の被写体を撮影し、被写体像の信号情報を発生する機能を有するものであって、写真レンズ１１、固体撮像素子（以下、ＣＣＤと記す）１２、ＣＣＤ駆動系１３、サンプルホールド回路（以下、Ｓ／Ｈと記す）１４、アナログ−ディジタル変換器（以下、Ａ／Ｄと記す）１５、レンズ駆動系１６等を有している。
写真レンズ１１は、周知の光学レンズの組み合わせによって、被写体からの光を後述するＣＣＤ１２の受光面に結像させる光学系を構成している。ＣＣＤ１２は、電荷をアレイ状に転送する固体撮像デバイスであって、ここでは特に、二次元の光学情報を時系列（シリアル列）のアナログ電気信号に変換する固体のイメージセンサーを指す。ＣＣＤ駆動系１３は、ＣＣＤ１２の各画素に光電変換の開始及び蓄積電荷の出力を指令して、ＣＣＤ１２を駆動制御する機能を有する。
【００１３】
Ｓ／Ｈ１４は、ＣＣＤ１２から出力される時系列のアナログ電気信号をＣＣＤ１２の解像度に適合した周波数でサンプリング処理する。また、Ａ／Ｄ１５は、Ｓ／Ｈ１４によりサンプリングされたアナログ電気信号をディジタル信号に変換して、後述するＭＰＵ３０に出力する。
レンズ駆動系１６は、自動焦点機能を実現するための測距センサや、オートフォーカス用駆動機構等を有する測定系（図示を省略）により測定される被写体までの距離等に基づいて、写真レンズ１１の焦点を調整駆動する。
【００１４】
振動検出部２０は、撮影時にカメラ本体に加わる振動、すなわち手振れを検出し、振動情報（手振れ情報）として出力するものであって、手振れが原因で生じる画像の乱れを撮影時に検出する機構を有している。その具体的な手法としては、ジャイロセンサ等の周知の振動検出センサを用いて撮影時の振動が所定値以上に達したとき、手振れが生じていると判断し、振動情報を出力する方法を適用することができる。
なお、手振れ検出の他の方法としては、撮影された画像自体を画像解析して被写体像の輪郭の鮮明さ等から手振れの程度を判断する手法、あるいは、シャッターキーを押下して被写体像を取り込むレリーズ動作の直前の画像と、レリーズ動作時の画像とを比較対照して手振れの程度を判断する手法、シャッターキーの押下速度、すなわちレリーズ速度(あるいはシャッター速度)を算出し、通常速度よりも遅い場合に手振れの可能性があると判断する手法等を採用することができる。
以下、本実施形態においては、手振れ検出の一例として振動を検出する手法を適用した場合について説明する。
【００１５】
記憶部４０は、記録（撮影）モードにおいて、撮影された被写体の画像情報を記憶するために使用される書き換え可能な画像メモリであり、複数の画像を記憶することができる容量を有している。具体的な画像情報の記憶フォーマットについては後述する。なお、記憶部４０は、カメラ本体に内蔵されたものであってもよいし、カードドライバやコネクタ、赤外線通信規格等のインターフェースを介して周辺機器として取り扱うことができるメモリカードや、パーソナルコンピュータ等のハードディスク、光磁気ディスク等の外部記憶媒体であってもよい。表示部５０は、記録モードにおいては、撮影の対象となる被写体像を連続的に表示して被写体の把握を容易にし、再生モードにおいては、記憶部４０に記憶された画像情報を順次スクロールして、あるいは分割画面により複数の画像を一括して表示する機能を有し、例えば表示特性が鮮明で、かつ、発色性が自然なＴＦＴ方式のカラー液晶パネルが適用される。
操作部６０は、カメラ使用者が、カメラ本体に対して動作電源の投入／遮断、被写体像の撮影、再生画像の送り／戻し等の所望の動作を指令する際の入力インターフェースとしての機能を有し、電源スイッチ、シャッターキー、プラス／マイナスキー、記録／再生切り替えスイッチ（ＲＥＣ／ＰＬＡＹキー）、モードキー等の周知の各種キースイッチ類を有し、各種操作信号を生成し、ＭＰＵ３０に出力する。なお、詳しくは後述するが、上記プラス／マイナスキーには、画像再生時に再生表示された画像情報を保存あるいは消去（無効設定）する選択機能が割り当てられている。
【００１６】
ＭＰＵ３０は、撮像部１０から出力される被写体像の信号情報に圧縮等の所定の信号処理を施して画像情報を生成する機能、振動検出部２０から出力される振動情報に基づいて手振れの状態を報知するとともに、生成された画像情報を記憶部４０の所定の領域に記憶する機能、あるいは、振動情報に基づいて画像情報に手振れに関する特定情報を関連付けして記憶部の所定の領域に、所定のフォーマットで記憶する機能、振動情報に基づいて記憶部４０に記憶された特定の画像情報を無効状態に設定し、その領域への新たに生成される画像情報の記憶を可能とする機能を有している。ここで、無効状態とは、記憶された画像情報の消去、あるいは、画像情報が記憶された記憶領域への上書き可能状態をいう。
【００１７】
なお、ＭＰＵ３０は、一般には、所定のプログラムを実行してカメラの動作を集中制御するものであり、記録モード用プログラム及び再生モード用プログラムが、ＭＰＵ３０の内部ＲＯＭに書き込まれており、各モード時に、内部ＲＯＭからＭＰＵ３０の内部ＲＡＭにロードされて実行処理される。具体的には、画像信号に関する処理全般及び撮影に関する制御全般、例えば、ＣＣＤ駆動系１３を介してＣＣＤ１２による撮影の制御、Ａ／Ｄ１５から与えられる信号にγ変換、ホワイトバランス変換、Ｒ、Ｇ、Ｂ３色の補間、輝度・色差信号への変換処理、表示部５０に表示するための画像信号の生成、レンズ駆動系１６及び測定系の制御、操作部６０からの操作信号の処理等を実行する。
【００１８】
次に、上記構成により実現される画像処理方法について、図面を参照して説明する。
図２は、請求項９記載の発明に係る電子スチルカメラの画像処理方法における一実施形態を示すフローチャートであり、図３は、上記構成に基づく電子スチルカメラの一例を示し、本実施形態における手振れ状態の報知例を示す図である。
以下、必要に応じて図１及び図３の構成を参照しながら、本実施形態の画像処理方法について説明する。なお、図３において、５１は表示部を構成する液晶パネル、７１は光学ファインダーである。また、６１はＲＥＣ／ＰＬＡＹキー、６２はシャッターキー、６３はモードキーであり、図示を省略したプラス／マイナスキー等とともに操作部６０を構成する。さらに、８１は警告ランプ、８２は内臓スピーカであって、後述する手触れ状態を報知するための報知手段を構成する。
【００１９】
まず、カメラ本体１００のＲＥＣ／ＰＬＡＹキー６１を操作して画像記録状態、すなわち記録モードに設定する（Ｓ１１１）。記録モードを設定することにより、撮像部１０を介して捉えられる被写体の画像が液晶パネル５１に表示されるスルー画像（ファインダ画像）表示モードが設定される。そして、所望の被写体像を液晶パネル５１あるいは光学ファインダ７１を介して画定した状態で、シャッターキー６２を押下すると（Ｓ１１２）、その時点の被写体像が画像情報として取り込まれ（Ｓ１１３）、ＭＰＵ３０により周知の画像圧縮処理が施されて、記憶部４０の所定の領域に記憶される（Ｓ１１４）。すなわち、シャッターキーの操作状態が常時監視され、操作が行われると画像情報が取得され、記憶部４０に記憶される。
【００２０】
ここで、ＭＰＵ３０により施される画像圧縮処理の代表例として、ＪＰＥＧについて簡単に説明する。
ＪＰＥＧ（Joint Photographic Expert Group）は、国際標準化機構（ＩＳＯ）と国際電信電話諮問機関（ＣＣＩＴＴ）が共同でまとめた静止画像の圧縮方式である。圧縮対象となる画像データを８×８ビット画素のブロックに分割した後、ＤＣＴ（Discrete Cosine Transform：離散コサイン変換）演算を行うことによって周波数成分に並び替え、各ブロックをジグザグスキャンあるいはオルタネートスキャンによって２次元から１次元のデータに変換し、当該ブロックのＤＣＴ計数を量子化テーブルに基づいて量子データ化して、ハフマンテーブルを参照して可変長符号化（可逆圧縮）処理を行うものである。
なお、近年の電子スチルカメラに採用されている画像圧縮保存方式としては、上述したＪＰＥＧ方式が一般的であるが、ＴＩＦＦ等の他の方式を採用するものもある。
【００２１】
一方、画像情報の取得に際し、カメラ本体１００に内蔵するジャイロセンサ等の振動検出部２０により被写体を撮影した時点（画像情報を取得した時点）での手振れの状態を検出し、振動情報として取得する（Ｓ１１５）。具体的には、振動検出部２０から出力される電気信号の大きさが、あらかじめ設定されたしきい値に達しているか否かを比較判定することにより、取得された画像情報について手振れの有無を振動情報としてＭＰＵ３０に出力する。
そして、ＭＰＵ３０は、記憶された画像情報の手振れの状態を振動情報に基づいて判断し（Ｓ１１６）、手振れ画像と判断した場合には、カメラ使用者に手振れ撮影であることを報知するとともに、当該画像を強制的に記憶部４０の記憶領域から消去、あるいは、後に取得した画像情報の当該記憶領域への上書きを可能な状態に設定することにより、当該画像情報を無効状態に設定する（Ｓ１１７）。また、手振れ画像ではなく、良好な画像と判断した場合には、画像情報をそのまま当該記憶領域に保存する。
【００２２】
ここで、手振れ報知の具体例について、図３を参照して説明する。
第１の報知例は、図３（ａ）に示すように、液晶パネル５１に表示された被写体像に、重ねて“手振れ発生”等の文字５１ａや所定の記号（マーク）等を表示するものである。このような報知方法によれば、液晶パネル５１の表示された被写体像を確認しながらシャッター操作を行う場合に、画像に重ねて報知情報が表示されるため、手振れ状態がカメラ使用者に確実に認識される。
また、第２の報知例は、図３（ｂ）に示すように、光学ファインダ７１の近傍あるいは光学ファインダ７１の内部に設けられた警告ランプ８１等を点灯するものである。このような報知方法によれば、光学ファインダ７１を透視して被写体像を確認しながらシャッター操作を行う場合に、カメラ使用者の視野範囲内で警告ランプ８１が点灯するため、手振れ状態が確実に認識される。なお、警告ランプ８１による報知のほか、光学ファインダ７１内に報知情報を文字あるいは記号等により表示するものであっても良い。
また、第３の報知例は、図３（ｃ）に示すように、カメラ本体１００に設けられた内蔵スピーカ８２等から、例えば“手振れが発生しました”の音声や、“ピー、ピー、・・”等の警告音を発するものである。このような報知方法によれば、被写体像の確認方法によらず、手振れ状態が音声によりカメラ使用者に伝達される。さらに、上述した第１及び第２の報知例等の視覚的な報知方法と組み合わせることにより、カメラ使用者に対して視覚的な報知情報に加え、聴覚的にも報知情報を伝達することができるため、一層確実に手振れ状態が認識される。
【００２３】
以上の一連の処理を終了した後、再びＳ１１２の処理に戻り、シャッター操作の有無により、連続して次の撮影を行う場合や、手振れ報知にしたがって改めて撮影を行う場合を判断する。そして、直前に撮影された画像が、上記一連の処理により手振れ画像と判断されていた場合には、その画像は無効状態に設定されているため、当該画像が記憶されている領域に新たに撮影された画像が記憶される。一方、直前に撮影された画像が、手振れのない良好な画像と判断されていた場合には、その画像は当該記憶領域に保存されているため、新たに撮影された画像は、別の新たな記憶領域に記憶される。
【００２４】
このように、手振れが生じた画像は、一旦所定の記憶領域に記憶されるが、その直後に強制的に無効状態に設定され、再撮影により取得された画像が同一の記憶領域に記憶されるか、あるいは、一旦所定の記憶領域に記憶されるが、その直後に当該記憶領域が上書き可能な状態に設定され、次に取得された画像が同一の記憶領域に上書きして記憶されることになるため、記憶部に手振れよる不要な画像を残すことなく、良好な画像のみを記憶することができる。したがって、手振れが生じたときには手振れ報知にしたがって再撮影をすることにより、同一の記憶領域に良好な画像のみが保存されることになり、手振れ画像の消去等の煩雑な操作を行うことなく、記憶容量を有効に利用することができる。
なお、上述した本実施形態においては、取得された画像情報は、一旦所定の記憶領域に記憶された後、振動情報に基づいて、無効状態に設定される場合を示したが、本発明はこれに限定されるものではなく、例えば、手振れ（振動）が検出された場合には取得した画像情報を記憶部４０に記憶せず、手振れが検出されない場合にのみ画像情報を記憶するようにしてもよい。
【００２５】
次に、請求項１０記載の発明に係る電子スチルカメラの画像処理方法における一実施形態について、図面を参照して説明する。
図４は、本実施形態に係る画像処理方法の処理手順を示すフローチャートであり、図５は、本実施形態の画像取捨選択モードにおける表示例である。
本実施形態は、上述した実施形態のフローチャート（図２参照）における、手振れ画像と判断された画像を無効状態に設定する処理（Ｓ１１６、Ｓ１１７）を、カメラ使用者の判断により選択的に実行する処理に置き換えたことを特徴としている。したがって、上述した実施形態と同等の処理手順については、その説明を省略する。
【００２６】
上述した実施形態と同様に、画像情報及び振動情報を取得した後、振動情報に基づいて、記憶部４０の所定の記憶領域に記憶された画像情報の手振れの状態を判断し（Ｓ１２１）、手振れ画像と判断した場合には、当該画像情報を消去（あるいは上書き可能に設定）するか、又は、保存するかを選択する画像取捨選択モードに移行する（Ｓ１２２）。画像取捨選択モードを設定すると、当該画像情報が液晶パネル等の表示部５０に再生表示されるとともに（Ｓ１２３）、当該画像が手振れ画像であることを示す文字と、当該画像を無効状態に設定するか、又は、そのまま保存するかの選択を促すための文字が、当該画像に重ねて表示される。具体的には、図５に示すように、手振れを生じた画像とともに、「手振れが発生しました」や消去するか保存するかの判断及び選択を促す「消去（−）／保存（＋）」等の文字表示や、音声により報知を行うことにより、手振れを認識させ、当該画像の取捨選択の操作を促す。
【００２７】
そして、カメラ使用者が表示された手振れ画像を不要と判断した場合には、例えば「−」キー等の操作部６０を操作することにより（Ｓ１２４）、当該画像を消去又は上書き可能な状態に設定する（Ｓ１２５）。一方、カメラ使用者が表示された手振れ画像を有用と判断した場合には、例えば「＋」キー等の操作部６０を操作することにより、当該画像をその記憶領域にそのまま保存する。
なお、上述した本実施形態においては、記憶部４０の所定の記憶領域に一旦記憶された手振れ画像を液晶パネルに表示して、当該画像の取捨選択を促す場合について示したが、本発明はこれに限定されるものではなく、例えば、画像取捨選択モードで消去操作をした場合には取得した画像情報を記憶部４０に記憶せず、保存操作をした場合にのみ画像情報を記憶するようにしてもよい。すなわち、ＤＲＡＭ等の一次バッファを備えたメモリ構成を有する電子スチルカメラにおいて、一旦、一次バッファに記憶された画像情報を、振動情報に基づいて再生表示し、保存操作された場合にのみ、フラッシュメモリ等の記憶部４０に記憶するようにしてもよい。
【００２８】
このように、手振れが生じた画像の取捨選択は、一旦所定の記憶領域に記憶されるが、その直後に画像取捨選択モードに移行して、当該画像を無効状態に設定するか、あるいは、そのまま保存するかを、カメラ使用者が表示部５０に再生表示された実画像を確認して判断することができる。したがって、撮影直後に、手振れが生じた画像を容易に取捨選択することができるため、従来技術に示したように、撮影後、操作部を操作して再生モードを設定し、画像を選択する操作等を行なう必要がなく、かつ、このような取捨選択操作を忘れてしまうことがない。さらに、手振れが生じた画像が、カメラ使用者が許容できる程度の手振れである場合や、予想もしない効果を有する画像を撮影できた場合には、当該画像をそのまま記憶することができるため、手振れ画像の中でも本当に不要な画像のみを消去、上書きすることができ、カメラ使用者の好みに応じた画像を、操作性良く取得することができる。
【００２９】
次に、請求項１１記載の発明に係る電子スチルカメラの画像処理方法における一実施形態について、図面を参照して説明する。
図６は、本実施形態に係る画像処理方法の概略手順を示すフローチャートである。
まず、カメラ本体のＲＥＣ／ＰＬＡＹキーを操作して記録モードに設定する（Ｓ２０１）。記録モードを設定することにより、撮像部１０を介して捉えられる被写体の画像が液晶パネルに表示され、所望の被写体像を液晶パネルあるいは光学ファインダにより画定した状態で、シャッターキーを押下すると（Ｓ２０２）、その時点の被写体像が画像情報として取り込まれる（Ｓ２０３）。すなわち、シャッターキーの操作状態が常時監視され、操作が行われると画像情報が取得される。ここで、画像情報の取得に際し、振動検出部２０により撮影時の手振れの状態を検出して、振動情報として取得する（Ｓ２０４）。
【００３０】
次いで、ＭＰＵ３０により、取得した画像情報に周知の画像圧縮処理が施され、さらに、取得した振動情報に基づいて手振れ状態を示す特定情報、すなわち手振れ画像であるか否かを示すフラグを、圧縮処理された画像情報に関連付けて記憶部４０の所定の領域に記憶する（Ｓ２０５、Ｓ２０６）。具体的には、特定情報として用いられるフラグは、振動情報に基づく手振れの状態が、所定のしきい値を超過している場合には、当該画像を手振れ画像と規定するフラグを立て（“1”に設定）、それ以外の場合には、良好な画像と判断してフラグを立てない（“0”に設定）ように設定する。また、別の手法として、手振れ画像か、あるいは、良好な画像のいずれか一方にのみ特定情報を付加するようにしても良い。
このように、取得した画像情報に関連付けて、フラグ（特定情報）が設定されているため、後述するように、フラグを抽出することによって記憶部４０に記憶された各画像の手振れ状態を容易に判別することができ、手振れ画像のみを迅速に抽出することができる。
【００３１】
ここで、記憶部４０の内部領域の管理フォーマットについて、図面を参照して説明する。
図７は、画像情報が記憶される記憶部４０の内部領域を示す概念図である。
図７に示すように、記憶領域４０の内部領域は、大別してフォーマットテーブル領域、情報テーブル領域、画像データ領域、オフセット領域から構成される。
フォーマットテーブル領域には、画像情報に関する総合的な情報、すなわちフォーマット情報Ｆ１、Ｆ２、・・が格納される。情報テーブル領域には、画像情報を識別するための番号情報を含む画像情報識別情報Ｄ１、Ｄ２、・・、画像情報を取得した時刻を示す時間情報Ｔ１、Ｔ２、・・、画像情報を取得した時点での手振れ状態を示す特定情報（フラグ）Ｖ１、Ｖ２、・・等の画像情報を識別するための情報が格納される。画像データ領域は、圧縮処理された画像情報Ｐ１、Ｐ２、・・を格納し、オフセット領域は、画像データ領域における画像情報Ｐ１、Ｐ２、・・のデータ長を固定長とするためのオフセットデータ（ブランク）を格納する。
このように、各画像情報Ｐ１、Ｐ２、・・は、情報テーブル領域に格納された画像識別情報Ｄ１、Ｄ２、・・、時間情報Ｔ１、Ｔ２、・・、手振れ状態を規定するフラグＶ１、Ｖ２、・・をヘッダとして有することにより関連付けられて記憶される。
【００３２】
次に、上述した請求項１１記載の発明に係る画像処理方法を適用して実現される手振れ画像の検索、表示方法の一実施形態について、図面を参照して説明する。
図８は、本実施形態の処理手順を示すフローチャートである。
まず、図６に示した一連の画像処理により、複数の画像情報に特定情報を関連付けて記憶部４０に記憶した後、カメラ本体のＲＥＣ／ＰＬＡＹキー等の操作部６０を操作して再生モードに切り替え設定する（Ｓ２１１）。次いで、モードキー及びプラス／マイナスキー等を操作することにより（Ｓ２１２）、記憶された画像情報を時系列的に表示部５０に順次表示するスクロール表示を行う。すなわち、すっくろーる操作（＋／−キー操作）が一度行われると、次の画像が指定され、再度スクロール操作が行われるまで現在の画像表示を継続する。
スクロール表示に際し、画像情報に関連付けされた特定情報、すなわちフラグが抽出、判別されて（Ｓ２１３）、表示される画像情報が手振れ画像であるか否かが判断される（Ｓ２１４）。フラグが“１”に設定されている場合には手振れ画像と判断して、当該画像情報を表示する際に、音や光、マーク表示等により手振れ画像が表示されたこと、及び、当該画像情報を消去するか、又は、保存するかの判断をカメラ使用者に促す報知を行う（Ｓ２１５）。カメラ使用者が表示された手振れ画像を不要と判断して消去操作を実行した場合には（Ｓ２１６）、当該画像情報を消去又は上書き可能な状態に設定する（Ｓ２１７）。一方、カメラ使用者が表示された手振れ画像を有用と判断して消去操作を行わない場合や保存操作を行った場合には、当該画像情報をそのまま保存する。
また、フラグが“０”に設定されている場合には通常画像と判断して、通常の再生表示を行う（Ｓ２１８）。
以上の一連の処理をスクロール操作が中断するまで、あるいは、記憶された全ての画像情報の表示が終了するまで実行する。
【００３３】
このように、振動情報に基づいて、画像情報に関連付けられた特定情報（フラグ）を抽出、判別することにより、複数の画像情報の中から手振れ画像を抽出することができ、スクロール表示による再生モードにおいて、カメラ使用者に手振れ画像を認識させるように報知することができる。したがって、カメラ使用者は、シャッターチャンスにおいて連続的に撮影を行い、その後再生画像を確認しながら手振れ画像の消去、保存を判断することができるため、シャッターチャンスが連続するような場合や、手振れが連続して生じた場合に、その都度手振れ画像を消去、保存する処理を行う必要がなく、ＭＰＵ３０における制御処理を簡略化して、記録モードにおける撮影間隔の短縮化を実現しつつ、再生モードにおける手振れ画像の取捨選択の容易化を図った、操作性に優れた電子スチルカメラを実現することができる。
【００３４】
次に、本実施形態における手振れ報知の具体例について、図面を参照して説明する。
図９は、再生表示における手振れ画像の報知例を示す図である。
再生画像のスクロール表示において、図９（ａ）に示すように、例えば記憶部４０に記憶された画像情報Ｐ２及びＰ７が手振れ画像と判断された場合には、時系列的に順次表示される画像情報Ｐ１→Ｐ２→Ｐ３→…のうち、画像情報Ｐ２及びＰ７を表示する際に、図９（ｂ）に示すように、画像情報Ｐ２に重ねて“手振れ”の文字表示とともに、当該画像を消去するか、保存するかの指示を促す“消去（−）／保存（＋）”の文字表示を行い、手振れ画像であることを報知する。
なお、再生画像のマルチ画面表示においては、４分割や９分割画面により複数の画像情報が一括して表示されるため、図９（ａ）に示すように、画像情報Ｐ２及びＰ７が手振れ画像と判断された場合には、図９（ｃ）に示すように、複数の分割画面に表示される画像情報Ｐ１、Ｐ２、Ｐ３、…、Ｐ９のうち、画像情報Ｐ２及びＰ７が表示される分割画面にのみフラッシング等を施して手振れ画像であることを報知する方法を適用することができる。この場合、フラッシングが施された画像情報を選択することにより、図９（ｂ）に示したような取捨選択の画像表示に切り替えるようにしてカメラ使用者の判断を促すようにしても良い。
【００３５】
次に、上述した請求項１１記載の発明に係る画像処理方法を適用して実現される手振れ画像の検索、表示方法の他の実施形態について、図面を参照して説明する。
図１０は、本実施形態の処理手順を示すフローチャートである。
まず、図６に示した一連の画像処理により、複数の画像情報に特定情報を関連付けて記憶部４０に記憶した後、カメラ本体のＲＥＣ／ＰＬＡＹキー等の操作部６０を操作して再生モードに切り替え設定する（Ｓ２２１）。次いで、モードキー等を操作することにより、記憶された画像情報から手振れ画像を検索、抽出するモードを設定する（Ｓ２２２）。その後、画像情報に関連付けされた特定情報（フラグ）を抽出、判別することにより（Ｓ２２３）、手振れ画像が存在するか否かを判断する（Ｓ２２４）。すなわち、画像情報に関連付けられたフラグが“１”に設定されている場合には、手振れ画像と判断して、例えば記憶部４０の他の記憶領域に抽出、転送する（Ｓ２２５）。
【００３６】
次いで、抽出された手振れ画像のみを、表示部５０に順次スクロール表示し（Ｓ２２６）、カメラ使用者がすでに表示された手振れ画像の全てを不要と判断した場合には、プラス／マイナスキー等の操作部６０により一括消去操作を行うことにより（Ｓ２２７）、表示された全ての手振れ画像について消去又は上書き可能な状態に設定する（Ｓ２２８）。一方、カメラ使用者がすでに表示された手振れ画像を有用と判断して一括消去操作を行わない場合や保存操作を行った場合には、当該画像情報群をそのまま保存する。
なお、本実施形態においては、抽出された手振れ画像をスクロール表示する場合について示したが、マルチ画面表示により、例えば４分割あるいは９分割画面に表示された複数の手振れ画像毎に一括消去操作を実行するものであっても良い。
また、複数の手振れ画像を一括消去する手法の他に、表示された画像を確認しつつ選択的に消去する手法を採用する物であっても良い。
【００３７】
このように、振動情報に基づいて、画像情報に関連付けられた特定情報を検索することにより、複数の画像の中から手振れ画像のみを抽出して表示することができ、カメラ使用者に複数の手振れ画像を認識させて、消去、保存の処理を一括して行うことができる。したがって、カメラ使用者は、シャッターチャンスにおいて連続的に撮影を行い、その後、再生モードにおいて手振れ画像を確認しながら容易に取捨選択（消去あるいは保存）を判断することができるため、手振れ撮影毎に、あるいは、再生画像毎に煩雑な操作を行う必要がなく、操作性に優れた電子スチルカメラを実現することができる。
【００３８】
次に、上述した請求項１１記載の発明に係る画像処理方法を適用して実現される手振れ画像の自動消去方法の一実施形態について、図面を参照して説明する。
図１１は、本実施形態の処理手順を示すフローチャートである。
まず、カメラ本体のＲＥＣ／ＰＬＡＹキーを操作して記録モードに設定する（Ｓ２３１）。記録モードを設定することにより、撮像部１０を介して捉えられる被写体の画像が液晶パネルに表示され、所望の被写体像を液晶パネルあるいは光学ファインダにより画定した状態で、シャッターキーを押下すると（Ｓ２３２）、その時点の被写体像が画像情報として取り込まれる（Ｓ２３３）。すなわち、シャッターキーの操作状態が常時監視され、操作が行われると画像情報が取得される。ここで、画像情報の取得に際し、振動検出部２０により撮影時の手振れの状態を検出して、振動情報として取得する（Ｓ２３４）。
【００３９】
次いで、ＭＰＵ３０により記憶部４０の記憶残量が監視され（Ｓ２３５）、記憶残量が所定のしきい値以下か否かが判断される（Ｓ２３６）。ここで、所定のしきい値とは、例えば新たな画像情報を記憶するために必要な最低限の容量をいう。そして、記憶残量がしきい値容量以下に達している場合には、記憶部４０にすでに記憶されている画像情報に関連付けられている特定情報（フラグ）を抽出、判別して、手振れ画像を検索し（Ｓ２３７）、強制的に消去又は上書き可能な状態に設定して（Ｓ２３８）、今回取得された画像情報を記憶するための記憶容量を確保する。一方、記憶残量がしきい値に達していない場合には、今回取得された画像情報を良好に記憶することができる十分な記憶容量が確保されているものと判断する。次いで、図６に示した一連の画像処理と同様に、振動情報に基づいて規定される手振れ状態に関する特定情報を当該画像情報に関連付けて、記憶部４０に新たに確保された領域に記憶する（Ｓ２３９）。
以上の一連の処理を終了した後、再びＳ２３２の処理に戻り、シャッター操作の有無に応じて、新たな画像情報の取得、記憶残量の監視、手振れ画像の検索、消去等の処理を繰り返す。
【００４０】
なお、本実施形態においては、記憶部４０の記憶残量の監視、手振れ画像の検索、消去等の一連の処理を、シャッターキーを操作し、新たな画像情報を取得した後に実行する場合について示したが、記録モード設定直後に、これらの処理を自動的に実行し、十分な記憶容量を確保してから新たな画像情報を取り込むものであっても良い。
このように、記憶部の記憶残量が少なくなった状態で、新たな画像情報が取得されると、記憶部内に記憶された手振れ画像を検索して無効状態に設定することにより、一般的に不要と判断される可能性が高い手振れ画像を自動的に抽出して消去することができ、新たに撮影される有用な画像を順次保存することができるため、限られた記憶容量を有効に利用することができる。したがって、カメラ使用者は、シャッターチャンスが連続するような場合においても、煩雑な手振れ画像の消去操作を行う必要がなく、また、記憶残量を気にする必要がないため、極めて操作性に優れた電子スチルカメラを実現することができる。
【００４１】
なお、上述した各実施形態においては、特定情報として、手振れ画像であるか否かの２値を識別するフラグを利用する方法を示したが、振動情報に基づいて手振れの程度を、複数のしきい値を用いてクラス分けすることにより、手振れ度として多値化し、例えば、手振れ度“Ａ”、“Ｂ”、“Ｃ”・・・を特定情報として画像情報に関連付けて、記憶部４０の所定の領域に記憶するものであってもよい。この場合、手振れ度に応じて画像情報を検索、抽出することにより、手振れ画像を無効状態に設定する際に、手振れ度が高い画像情報から順次無効状態に設定することができるため、手振れ画像の消去、保存の判別処理を簡易かつ自動的に行うことができるとともに、記憶容量の有効利用を図ることができる。
ところで、上述した各実施形態においては、撮影した画像情報について、電子スチルカメラに設けられた種々の構成及び手段を用いて、手振れ画像を無効状態に設定する場合について示したが、本発明は、このような実施形態に限定されるものではなく、例えば、電子スチルカメラにより撮影された画像情報に特定情報を関連付けて、パソコンや携帯情報端末等の他の情報機器に転送し、これらの情報機器側で、手振れの報知、検索、消去（一括消去を含む）等の処理及び操作を実行するものであっても良い。
【図面の簡単な説明】
【００４２】
【図１】請求項１乃至８記載の発明のいずれかに係る電子スチルカメラの基本構成を示すブロック図である。
【図２】請求項９記載の発明に係る電子スチルカメラの画像処理方法における一実施形態を示すフローチャートである。
【図３】本実施形態における手触れ状態の報知例を示す図である。
【図４】請求項１０記載の発明に係る電子スチルカメラの画像処理方法における一実施形態を示すフローチャートである。
【図５】本実施形態における画像取捨選択モードの表示例である。
【図６】請求項１１記載の発明に係る電子スチルカメラの画像処理方法における一実施形態を示すフローチャートである。
【図７】記憶部４０の内部領域を示す概念図である。
【図８】請求項１１記載の発明に係る画像処理方法を適用して実現される手振れ画像の検索、表示方法の一実施形態を示すフローチャートである。
【図９】再生表示における手振れ画像の報知例を示す図である。
【図１０】請求項１１記載の発明に係る画像処理方法を適用して実現される手振れ画像の検索、表示方法の他の実施形態を示すフローチャートである。
【図１１】請求項１１記載の発明に係る画像処理方法を適用して実現される手振れ画像の自動消去方法の一実施形態を示すフローチャートである。
【図１２】手振れの発生状況を示す概念図である。
【符号の説明】
【００４３】
１０  撮像部（撮像手段）
２０  振動検出部（手振れ検出手段）
３０  ＭＰＵ（制御手段）
４０  記憶部（記憶手段）
５０  表示部（表示手段）
６０  操作部（選択手段）
【図１】
2006295972.tif 000003
【図２】
2006295972.tif 000004
【図３】
2006295972.tif 000005
【図４】
2006295972.tif 000006
【図５】
2006295972.tif 000007
【図６】
2006295972.tif 000008
【図７】
2006295972.tif 000009
【図８】
2006295972.tif 000010
【図９】
2006295972.tif 000011
【図１０】
2006295972.tif 000012
【図１１】
2006295972.tif 000013
【図１２】
2006295972.tif 000014
【手続補正書】
【提出日】平成18年7月7日(2006.7.7)
【手続補正１】
【補正対象書類名】特許請求の範囲
【補正対象項目名】全文
【補正方法】変更
【補正の内容】
【特許請求の範囲】
【請求項１】
被写体を撮影し、該被写体像の画像情報を発生する撮像手段と、
前記被写体の撮像時に生じる手振れを検出し、手振れ情報として出力する手振れ検出手段と、
前記手振れ情報に基づいて、該手振れの程度に応じたフラグ情報を生成するフラグ情報生成手段と、
前記撮像手段により得られた所定の画像情報に前記フラグ情報生成手段により生成されたフラグ情報を関連付けて記憶手段に記憶させる記憶制御手段と、
前記記憶手段の記憶残量を監視する記憶残量監視手段と、
前記記憶残量監視手段により前記記憶手段の記憶残量が所定の残量閾値以下と判定されるときに、前記記憶手段に記憶されている画像情報のうち、前記フラグ情報に基づいて手振れが発生している画像情報を前記記憶手段から優先的に消去する画像情報消去手段と、
を備えたことを特徴とする電子スチルカメラ。
【請求項２】
前記フラグ情報生成手段は、前記手振れ情報に基づいて、該手振れの程度に応じたフラグ情報を複数段の特定情報として生成し、
前記記憶制御手段は、前記撮像手段により得られた所定の画像情報に前記フラグ情報生成手段により生成された特定情報を関連付けて記憶手段に記憶させ、
前記画像情報消去手段は、前記記憶残量監視手段により前記記憶手段の記憶残量が所定の残量閾値以下と判定されるときに、前記記憶手段に記憶されている画像情報のうち、前記特定情報に基づいて手振れの程度が高い画像情報を前記記憶手段から優先的に消去することを特徴とする請求項１記載の電子スチルカメラ。
【請求項３】
被写体を撮影し、該被写体像の画像情報を発生する撮像手段と、
前記被写体の撮像時に生じる手振れを検出し、手振れ情報として出力する手振れ検出手段と、
前記手振れ情報に基づいて、該手振れの程度に応じたフラグ情報を生成するフラグ情報生成手段と、
前記撮像手段により得られた所定の画像情報に前記フラグ情報生成手段により生成されたフラグ情報を関連付けて記憶手段に記憶させる記憶制御手段と、
前記記憶手段の記憶残量を監視する記憶残量監視手段と、
前記記憶残量監視手段により前記記憶手段の記憶残量が所定の残量閾値以下と判定されるときに、前記記憶手段に記憶されている画像情報のうち、前記フラグ情報に基づいて手振れが発生している画像情報を前記記憶手段から優先的に読み出す画像情報読み出し手段と、
を備えたことを特徴とする電子スチルカメラ。
【請求項４】
前記フラグ情報生成手段は、前記手振れ情報に基づいて、該手振れの程度に応じたフラグ情報を複数段の特定情報として生成し、
前記記憶制御手段は、前記撮像手段により得られた所定の画像情報に前記フラグ情報生成手段により生成された特定情報を関連付けて記憶手段に記憶させ、
前記画像情報読み出し手段は、前記記憶残量監視手段により前記記憶手段の記憶残量が所定の残量閾値以下と判定されるときに、前記記憶手段に記憶されている画像情報のうち、前記特定情報に基づいて手振れの程度が高い画像情報を前記記憶手段から優先的に読み出すことを特徴とする請求項３記載の電子スチルカメラ。
【請求項５】
撮影された被写体像の画像情報を生成する画像情報生成工程と、
前記被写体の撮像時に生じる手振れを検出し、手振れ情報として出力する手振れ情報出力工程と、
前記手振れ情報に基づいて、該手振れの程度に応じたフラグ情報を生成するフラグ情報生成工程と、
画像情報生成工程で得られた所定の画像情報に前記フラグ情報生成工程で生成されたフラグ情報を関連付けて記憶手段に記憶させる記憶制御工程と、
前記記憶手段の記憶残量を監視する記憶残量監視工程と、
前記記憶残量監視工程で前記記憶手段の記憶残量が所定の残量閾値以下と判定されるときに、前記記憶手段に記憶されている画像情報のうち、前記フラグ情報に基づいて手振れが発生している画像情報を前記記憶手段から優先的に消去する画像情報消去工程と、
を含むことを特徴とする画像情報の消去方法。
【請求項６】
撮影された被写体像の画像情報を生成する画像情報生成工程と、
前記被写体の撮像時に生じる手振れを検出し、手振れ情報として出力する手振れ情報出力工程と、
前記手振れ情報に基づいて、該手振れの程度に応じたフラグ情報を生成するフラグ情報生成工程と、
画像情報生成工程で得られた所定の画像情報に前記フラグ情報生成工程で生成されたフラグ情報を関連付けて記憶手段に記憶させる記憶制御工程と、
前記記憶手段の記憶残量を監視する記憶残量監視工程と、
前記記憶残量監視工程で前記記憶手段の記憶残量が所定の残量閾値以下と判定されるときに、前記記憶手段に記憶されている画像情報のうち、前記フラグ情報に基づいて手振れが発生している画像情報を前記記憶手段から優先的に読み出す画像情報読み出し工程と、
を含むことを特徴とする画像情報の読み出し方法。
【手続補正３】
【補正対象書類名】明細書
【補正対象項目名】０００１
【補正方法】変更
【補正の内容】
【０００１】
本発明は、電子スチルカメラ、画像情報の消去方法及び画像情報の読み出し方法に関し、特に、撮影時の手振れが原因で生じる不良な画像の処理方法を改善した電子スチルカメラ、画像情報の消去方法及び画像情報の読み出し方法に関する。
【手続補正４】
【補正対象書類名】明細書
【補正対象項目名】０００５
【補正方法】変更
【補正の内容】
【０００５】
しかしながら、上述した従来技術においては、手振れ警告をカメラ使用者に認識させることはできるが、手振れを生じた画像はそのままメモリに記憶されるため、カメラ使用者は、その都度再生モードに切り替えて手振れ画像を液晶パネルに表示し、手振れの状態を確認して不要と判断した場合には、消去操作を実行しなければならないうえ、連続して撮影した複数の画像の中から手振れ画像を選択して消去操作を行うことは極めて煩雑であるという問題を有している。また、手振れ画像はメモリにそのまま記憶されることになるため、その回数が多くなるほど、メモリ中に不要な画像が蓄積されて、メモリの記憶容量が有効に利用されていないという問題も有している。そこで、本発明は、簡易な手法によりメモリに記憶された手振れ画像の無効設定を行い、手振れが生じた不要な画像によるメモリの容量不足を改善して、記憶容量の有効な利用を図ることができる電子スチルカメラ、画像情報の消去方法及び画像情報の読み出し方法を提供することを目的とする。
【手続補正５】
【補正対象書類名】明細書
【補正対象項目名】０００６
【補正方法】変更
【補正の内容】
【０００６】
請求項１記載の電子スチルカメラは、被写体を撮影し、該被写体像の画像情報を発生する撮像手段と、前記被写体の撮像時に生じる手振れを検出し、手振れ情報として出力する手振れ検出手段と、前記手振れ情報に基づいて、該手振れの程度に応じたフラグ情報を生成するフラグ情報生成手段と、前記撮像手段により得られた所定の画像情報に前記フラグ情報生成手段により生成されたフラグ情報を関連付けて記憶手段に記憶させる記憶制御手段と、前記記憶手段の記憶残量を監視する記憶残量監視手段と、前記記憶残量監視手段により前記記憶手段の記憶残量が所定の残量閾値以下と判定されるときに、前記記憶手段に記憶されている画像情報のうち、前記フラグ情報に基づいて手振れが発生している画像情報を前記記憶手段から優先的に消去する画像情報消去手段と、を備えたことを特徴とする。請求項２記載の電子スチルカメラは、請求項１記載の電子スチルカメラにおいて、前記フラグ情報生成手段は、前記手振れ情報に基づいて、該手振れの程度に応じたフラグ情報を複数段の特定情報として生成し、前記記憶制御手段は、前記撮像手段により得られた所定の画像情報に前記フラグ情報生成手段により生成された特定情報を関連付けて記憶手段に記憶させ、前記画像情報消去手段は、前記記憶残量監視手段により前記記憶手段の記憶残量が所定の残量閾値以下と判定されるときに、前記記憶手段に記憶されている画像情報のうち、前記特定情報に基づいて手振れの程度が高い画像情報を前記記憶手段から優先的に消去することを特徴とする。
【手続補正６】
【補正対象書類名】明細書
【補正対象項目名】０００７
【補正方法】変更
【補正の内容】
【０００７】
請求項３記載の電子スチルカメラは、被写体を撮影し、該被写体像の画像情報を発生する撮像手段と、前記被写体の撮像時に生じる手振れを検出し、手振れ情報として出力する手振れ検出手段と、前記手振れ情報に基づいて、該手振れの程度に応じたフラグ情報を生成するフラグ情報生成手段と、前記撮像手段により得られた所定の画像情報に前記フラグ情報生成手段により生成されたフラグ情報を関連付けて記憶手段に記憶させる記憶制御手段と、前記記憶手段の記憶残量を監視する記憶残量監視手段と、前記記憶残量監視手段により前記記憶手段の記憶残量が所定の残量閾値以下と判定されるときに、前記記憶手段に記憶されている画像情報のうち、前記フラグ情報に基づいて手振れが発生している画像情報を前記記憶手段から優先的に読み出す画像情報読み出し手段と、を備えたことを特徴とする。請求項４記載の電子スチルカメラは、請求項３記載の電子スチルカメラにおいて、前記フラグ情報生成手段は、前記手振れ情報に基づいて、該手振れの程度に応じたフラグ情報を複数段の特定情報として生成し、前記記憶制御手段は、前記撮像手段により得られた所定の画像情報に前記フラグ情報生成手段により生成された特定情報を関連付けて記憶手段に記憶させ、前記画像情報読み出し手段は、前記記憶残量監視手段により前記記憶手段の記憶残量が所定の残量閾値以下と判定されるときに、前記記憶手段に記憶されている画像情報のうち、前記特定情報に基づいて手振れの程度が高い画像情報を前記記憶手段から優先的に読み出すことを特徴とする。
【手続補正７】
【補正対象書類名】明細書
【補正対象項目名】０００８
【補正方法】変更
【補正の内容】
【０００８】
請求項５記載の画像情報の消去方法は、撮影された被写体像の画像情報を生成する画像情報生成工程と、前記被写体の撮像時に生じる手振れを検出し、手振れ情報として出力する手振れ情報出力工程と、前記手振れ情報に基づいて、該手振れの程度に応じたフラグ情報を生成するフラグ情報生成工程と、画像情報生成工程で得られた所定の画像情報に前記フラグ情報生成工程で生成されたフラグ情報を関連付けて記憶手段に記憶させる記憶制御工程と、前記記憶手段の記憶残量を監視する記憶残量監視工程と、前記記憶残量監視工程で前記記憶手段の記憶残量が所定の残量閾値以下と判定されるときに、前記記憶手段に記憶されている画像情報のうち、前記フラグ情報に基づいて手振れが発生している画像情報を前記記憶手段から優先的に消去する画像情報消去工程と、を含むことを特徴とする。請求項６記載の画像情報の読み出し方法は、撮影された被写体像の画像情報を生成する画像情報生成工程と、前記被写体の撮像時に生じる手振れを検出し、手振れ情報として出力する手振れ情報出力工程と、前記手振れ情報に基づいて、該手振れの程度に応じたフラグ情報を生成するフラグ情報生成工程と、画像情報生成工程で得られた所定の画像情報に前記フラグ情報生成工程で生成されたフラグ情報を関連付けて記憶手段に記憶させる記憶制御工程と、前記記憶手段の記憶残量を監視する記憶残量監視工程と、前記記憶残量監視工程で前記記憶手段の記憶残量が所定の残量閾値以下と判定されるときに、前記記憶手段に記憶されている画像情報のうち、前記フラグ情報に基づいて手振れが発生している画像情報を前記記憶手段から優先的に読み出す画像情報読み出し工程と、を含むことを特徴とする。
【手続補正８】
【補正対象書類名】明細書
【補正対象項目名】０００９
【補正方法】変更
【補正の内容】
【０００９】
本発明によれば、限られた記憶容量を有効に利用することができるとともに、手振れ画像の消去等の煩雑な操作を必要としない、操作性に優れた電子スチルカメラ、画像情報の消去方法及び画像情報の読み出し方法を実現することができる。
【手続補正９】
【補正対象書類名】明細書
【補正対象項目名】００１０
【補正方法】変更
【補正の内容】
【００１０】
また、本発明によれば、被写体の撮影に際し、記憶手段の記憶残量を監視し、記憶残量が少なくなった場合には、手振れ画像を自動的に抽出消去することができ、新たに撮影される有用な画像を順次保存することができるため、シャッターチャンスが連続するような場合においても、記憶残量を気にすることなく撮影を継続できるとともに、手振れ画像の処理操作を行う必要がなく、極めて操作性に優れた電子スチルカメラ、画像情報の消去方法及び画像情報の読み出し方法を実現することができる。
【手続補正１０】
【補正対象書類名】明細書
【補正対象項目名】００１１
【補正方法】変更
【補正の内容】
【００１１】
以下、本発明の実施の形態を、図面を参照しながら説明する。図１は、実施形態に係る電子スチルカメラの基本構成を示すブロック図である。
図１に示すように、実施形態に係る電子スチルカメラは、撮像部（撮像手段）１０と、振動検出部（手振れ検出手段）２０と、マイクロプロセッサユニット（以下、ＭＰＵと記す；制御手段）３０と、記憶部（記憶手段）４０と、表示部（表示手段）５０と、操作部（選択手段）６０とを有して構成されている。各構成について以下順次説明する。
【手続補正１１】
【補正対象書類名】明細書
【補正対象項目名】００１８
【補正方法】変更
【補正の内容】
【００１８】
次に、上記構成により実現される画像処理方法について、図面を参照して説明する。
図２は、実施形態に係る電子スチルカメラの画像処理方法における一実施形態を示すフローチャートであり、図３は、上記構成に基づく電子スチルカメラの一例を示し、本実施形態における手振れ状態の報知例を示す図である。
以下、必要に応じて図１及び図３の構成を参照しながら、本実施形態の画像処理方法について説明する。なお、図３において、５１は表示部を構成する液晶パネル、７１は光学ファインダーである。また、６１はＲＥＣ／ＰＬＡＹキー、６２はシャッターキー、６３はモードキーであり、図示を省略したプラス／マイナスキー等とともに操作部６０を構成する。さらに、８１は警告ランプ、８２は内臓スピーカであって、後述する手触れ状態を報知するための報知手段を構成する。
【手続補正１２】
【補正対象書類名】明細書
【補正対象項目名】００２５
【補正方法】変更
【補正の内容】
【００２５】
図４は、本実施形態に係る画像処理方法の処理手順を示すフローチャートであり、図５は、本実施形態の画像取捨選択モードにおける表示例である。
本実施形態は、上述した実施形態のフローチャート（図２参照）における、手振れ画像と判断された画像を無効状態に設定する処理（Ｓ１１６、Ｓ１１７）を、カメラ使用者の判断により選択的に実行する処理に置き換えたことを特徴としている。したがって、上述した実施形態と同等の処理手順については、その説明を省略する。
【手続補正１３】
【補正対象書類名】明細書
【補正対象項目名】００２９
【補正方法】変更
【補正の内容】
【００２９】
図６は、本実施形態に係る画像処理方法の概略手順を示すフローチャートである。
まず、カメラ本体のＲＥＣ／ＰＬＡＹキーを操作して記録モードに設定する（Ｓ２０１）。記録モードを設定することにより、撮像部１０を介して捉えられる被写体の画像が液晶パネルに表示され、所望の被写体像を液晶パネルあるいは光学ファインダにより画定した状態で、シャッターキーを押下すると（Ｓ２０２）、その時点の被写体像が画像情報として取り込まれる（Ｓ２０３）。すなわち、シャッターキーの操作状態が常時監視され、操作が行われると画像情報が取得される。ここで、画像情報の取得に際し、振動検出部２０により撮影時の手振れの状態を検出して、振動情報として取得する（Ｓ２０４）。
【手続補正１４】
【補正対象書類名】明細書
【補正対象項目名】００３２
【補正方法】変更
【補正の内容】
【００３２】
次に、上述した画像処理方法を適用して実現される手振れ画像の検索、表示方法の一実施形態について、図面を参照して説明する。
図８は、本実施形態の処理手順を示すフローチャートである。
まず、図６に示した一連の画像処理により、複数の画像情報に特定情報を関連付けて記憶部４０に記憶した後、カメラ本体のＲＥＣ／ＰＬＡＹキー等の操作部６０を操作して再生モードに切り替え設定する（Ｓ２１１）。次いで、モードキー及びプラス／マイナスキー等を操作することにより（Ｓ２１２）、記憶された画像情報を時系列的に表示部５０に順次表示するスクロール表示を行う。すなわち、スクロール操作（＋／−キー操作）が一度行われると、次の画像が指定され、再度スクロール操作が行われるまで現在の画像表示を継続する。
スクロール表示に際し、画像情報に関連付けされた特定情報、すなわちフラグが抽出、判別されて（Ｓ２１３）、表示される画像情報が手振れ画像であるか否かが判断される（Ｓ２１４）。フラグが“１”に設定されている場合には手振れ画像と判断して、当該画像情報を表示する際に、音や光、マーク表示等により手振れ画像が表示されたこと、及び、当該画像情報を消去するか、又は、保存するかの判断をカメラ使用者に促す報知を行う（Ｓ２１５）。カメラ使用者が表示された手振れ画像を不要と判断して消去操作を実行した場合には（Ｓ２１６）、当該画像情報を消去又は上書き可能な状態に設定する（Ｓ２１７）。一方、カメラ使用者が表示された手振れ画像を有用と判断して消去操作を行わない場合や保存操作を行った場合には、当該画像情報をそのまま保存する。
また、フラグが“０”に設定されている場合には通常画像と判断して、通常の再生表示を行う（Ｓ２１８）。
以上の一連の処理をスクロール操作が中断するまで、あるいは、記憶された全ての画像情報の表示が終了するまで実行する。
【手続補正１５】
【補正対象書類名】明細書
【補正対象項目名】００３５
【補正方法】変更
【補正の内容】
【００３５】
次に、上述した画像処理方法を適用して実現される手振れ画像の検索、表示方法の他の実施形態について、図面を参照して説明する。
図１０は、本実施形態の処理手順を示すフローチャートである。
まず、図６に示した一連の画像処理により、複数の画像情報に特定情報を関連付けて記憶部４０に記憶した後、カメラ本体のＲＥＣ／ＰＬＡＹキー等の操作部６０を操作して再生モードに切り替え設定する（Ｓ２２１）。次いで、モードキー等を操作することにより、記憶された画像情報から手振れ画像を検索、抽出するモードを設定する（Ｓ２２２）。その後、画像情報に関連付けされた特定情報（フラグ）を抽出、判別することにより（Ｓ２２３）、手振れ画像が存在するか否かを判断する（Ｓ２２４）。すなわち、画像情報に関連付けられたフラグが“１”に設定されている場合には、手振れ画像と判断して、例えば記憶部４０の他の記憶領域に抽出、転送する（Ｓ２２５）。
【手続補正１６】
【補正対象書類名】明細書
【補正対象項目名】００３８
【補正方法】変更
【補正の内容】
【００３８】
次に、上述した画像処理方法を適用して実現される手振れ画像の自動消去方法の一実施形態について、図面を参照して説明する。
図１１は、本実施形態の処理手順を示すフローチャートである。
まず、カメラ本体のＲＥＣ／ＰＬＡＹキーを操作して記録モードに設定する（Ｓ２３１）。記録モードを設定することにより、撮像部１０を介して捉えられる被写体の画像が液晶パネルに表示され、所望の被写体像を液晶パネルあるいは光学ファインダにより画定した状態で、シャッターキーを押下すると（Ｓ２３２）、その時点の被写体像が画像情報として取り込まれる（Ｓ２３３）。すなわち、シャッターキーの操作状態が常時監視され、操作が行われると画像情報が取得される。ここで、画像情報の取得に際し、振動検出部２０により撮影時の手振れの状態を検出して、振動情報として取得する（Ｓ２３４）。
【手続補正１７】
【補正対象書類名】明細書
【補正対象項目名】００４２
【補正方法】変更
【補正の内容】
【００４２】
【図１】実施形態に係る電子スチルカメラの基本構成を示すブロック図である。
【図２】電子スチルカメラの画像処理方法における一実施形態を示すフローチャートである。
【図３】本実施形態における手触れ状態の報知例を示す図である。
【図４】電子スチルカメラの画像処理方法における一実施形態を示すフローチャートである。
【図５】本実施形態における画像取捨選択モードの表示例である。
【図６】電子スチルカメラの画像処理方法における一実施形態を示すフローチャートである。
【図７】記憶部４０の内部領域を示す概念図である。
【図８】手振れ画像の検索、表示方法の一実施形態を示すフローチャートである。
【図９】再生表示における手振れ画像の報知例を示す図である。
【図１０】手振れ画像の検索、表示方法の他の実施形態を示すフローチャートである。
【図１１】手振れ画像の自動消去方法の一実施形態を示すフローチャートである。
【図１２】手振れの発生状況を示す概念図である。
【手続補正１８】
【補正対象書類名】明細書
【補正対象項目名】００４３
【補正方法】変更
【補正の内容】
【００４３】
１０  撮像部（撮像手段）
２０  振動検出部（手振れ検出手段）
３０  ＭＰＵ（第１制御手段、第２制御手段、第３制御手段）
４０  記憶部（記憶手段）
５０  表示部（表示手段）
６０  操作部（選択手段）